(57)【要約】【課題】無線基地局装置のチャネルの設定にかかる負荷を軽減することが可能な移動体通信システムを提供する。【解決手段】無線基地局装置１４は、通常通信を行う無線端末１３用に通常チャネルを設定し、同報通信を行う無線端末１１および１２用に個別チャネルと共通チャネルとのいずれかを設定する。負荷監視装置１５は、無線基地局装置１４の処理負荷を監視し、その処理負荷に基づいて、同報チャネルの種別を切り替えるか否かを判定する。負荷監視装置１５は、同報チャネルの種別を切り替えると判定すると、切替要求を無線基地局制御装置１６に送信する。無線基地局制御装置１６は、その切替要求を受信すると、無線基地局装置１４が設定している、同報チャネルの種別を切り替える。【選択図】図１
2007325103.tif 000002
【特許請求の範囲】
【請求項１】
同報通信を行う移動局装置および通常通信を行う移動局装置と接続する無線基地局装置と、前記無線基地局装置と接続された無線基地局制御装置および負荷監視装置と、を含む移動体通信システムであって、
前記無線基地局装置は、前記通常通信を行う移動局装置用に通常チャネルを設定し、かつ、前記同報通信を行う移動局装置用に、第一の種別の同報チャネルと該第一の種別の同報チャネルとチャネル数が異なる第二の種別の同報チャネルとのいずれかを設定する符号化処理部と、
前記負荷監視装置は、前記符号化処理部の処理負荷を監視し、該処理負荷に基づいて、前記同報チャネルの種別を切り替えるか否かを判定し、前記同報チャネルの種別を切り替えると判定すると、前記同報チャネルの種別を切り替える旨の切替要求を、前記無線基地局制御装置に送信する監視部を含み、
前記無線基地局制御装置は、前記負荷監視装置から前記切替要求を受信すると、前記符号化処理部が設定している、前記同報チャネルの種別を切り替える処理部を含む、移動体通信システム。
【請求項２】
請求項１に記載の移動体通信システムにおいて、
前記監視部は、
前記処理負荷の閾値を記憶する記憶部と、
前記処理負荷が前記記憶部に記憶された閾値を超えたか否かを判定することで、前記同報チャネルの種別を切り替えるか否かを判定する判定部と、を含む、移動体通信システム。
【請求項３】
請求項１または２に記載の移動体通信システムであって、
前記同報通信は、ＭＢＭＳである移動体通信システム。
【請求項４】
請求項１ないし３のいずれか１項に記載の移動体通信システムにおいて、
前記第一の種別の同報チャネルは、前記同報通信を行う移動局装置のそれぞれに対応する固有の個別チャネルであり、
前記第二の種別の同報チャネルは、前記同報通信を行う移動局装置に共通の共通チャネルである、移動体通信システム。
【請求項５】
同報通信を行う移動局装置および通常通信を行う移動局装置と接続する無線基地局装置と、前記無線基地局装置と接続された無線基地局制御装置および負荷監視装置と、を含む移動体通信システムが行うチャネル切替制御方法であって、
前記無線基地局装置が、前記通常通信を行う移動局装置用に通常チャネルを設定し、かつ、前記同報通信を行う移動局装置用に、第一の種別の同報チャネルと該第一の種別の同報チャネルとチャネル数が異なる第二の種別の同報チャネルとのいずれかを設定する設定ステップと、
前記負荷監視装置が、前記無線基地局装置の処理負荷を監視し、該処理負荷に基づいて、前記同報チャネルの種別を切り替えるか否かを判定する判定ステップと、
前記負荷監視装置が、前記同報チャネルの種別を切り替えると判定すると、前記同報チャネルの種別を切り替える旨の切替要求を、前記無線基地局制御装置に送信する送信ステップと、
前記無線基地局制御装置が、前記負荷監視装置から前記切替要求を受信する受信ステップと、
前記無線基地局制御装置が、前記無線基地局装置が設定している、前記同報チャネルの種別を切り替える切替ステップと、を含むチャネル切替制御方法。
【請求項６】
請求項５に記載のチャネル切替制御方法において、
前記負荷監視装置は、前記処理負荷の閾値を記憶する記憶部を含み、
前記判定ステップでは、前記処理負荷が前記記憶部に記憶された閾値を超えたか否かを判定することで、前記同報チャネルの種別を切り替えるか否かを判定する、チャネル切替制御方法。
【請求項７】
請求項５または６に記載のチャネル切替制御方法
前記同報通信は、ＭＢＭＳであるチャネル切替制御方法。
【請求項８】
請求項５ないし７のいずれか１項に記載のチャネル切替制御方法において、
前記第一の種別の同報チャネルは、前記同報通信を行う移動局装置のそれぞれに対応する固有の個別チャネルであり、
前記第二の種別の同報チャネルは、前記同報通信を行う移動局装置に共通の共通チャネルである、チャネル切替制御方法。
【発明の詳細な説明】
【技術分野】
【０００１】
本発明は、移動体通信システムおよびチャネル切替制御方法に関し、特には、同報チャネルの種別の切替を制御する移動体通信システムおよびチャネル切替制御方法に関する。
【背景技術】
【０００２】
近年、移動体通信システムにおいて提供されるサービスは、音声からコンテンツなどのデータ中心になりつつある。このような状況の中で、データの通信効率などを向上させる技術が多く提案されている。
【０００３】
このような技術には、例えば、移動体通信システムの無線基地局装置が、その無線基地局装置のセル内に含まれる複数の無線端末に対して、同じデータを送信する同報通信がある。
【０００４】
同報通信には、例えば、非特許文献１（“Ｍｕｌｔｉｍｅｄｉａ  Ｂｒｏａｄｃａｓｔ／Ｍｕｌｔｉｃａｓｔ  Ｓｅｒｖｉｃｅ”  ３ＧＰＰ  ＴＳ２３．２４６  Ｒｅｌｅａｓｅ６）にて標準化されたＭＢＭＳ（Ｍｕｌｔｉｍｅｄｉａ  Ｂｒｏａｄｃａｓｔ  Ｍｕｌｔｉｃａｓｔ  Ｓｅｒｖｉｃｅ）などがある。
【０００５】
同報通信にて行われるデータの送信方式には、データをＰｔＰ（Ｐｏｉｎｔ  ｔｏ  Ｐｏｉｎｔ）で送信するＰｔＰ送信方式と、データをＰｔＭ（Ｐｏｉｎｔ  ｔｏ  Ｍｕｌｔｉｐｏｉｎｔ）で送信するＰｔＭ送信方式と、がある。
【０００６】
ＰｔＰ送信方式では、無線基地局装置は、セル内の複数の無線端末用に、複数の無線端末のそれぞれに対応する固有の個別チャネルを設定し、その個別チャネルで複数の無線端末にデータを送信する。
【０００７】
図９ａは、ＰｔＰ送信方式を説明するための説明図である。図９ａにおいて、無線基地局９０は、無線端末９１および９２に対して同報通信を行い、無線端末９３に通常通信を行うものとする。
【０００８】
無線基地局装置９０は、無線端末の９１および９２用に、無線端末の９１および９２のそれぞれに対応する固有の個別チャネルを設定し、その個別チャネルで同報通信用のデータを送信する。
【０００９】
この場合、無線基地局装置は、それらの個別チャネルの送信電力を適切な値に設定できるため、セル内の無線端末が少ない場合には、送信電力を軽減することが可能になる。
【００１０】
一方、ＰｔＭ送信方式では、無線基地局装置は、自己のセル内の複数の無線端末用に共通チャネルを設定し、その共通チャネルで複数の無線端末にデータを送信する。
【００１１】
図９ｂは、ＰｔＭ送信方式を説明するための説明図である。図９ｂにおいて、無線基地局装置９０は、無線端末９１ないし９３に対して同報通信を行い、無線端末９４に対して通常通信を行うものとする。
【００１２】
無線基地局装置９０は、無線端末９１ないし９３用に共通チャネルを設定し、その共通チャネルで同報通信用のデータを送信する。
【００１３】
この場合、無線基地局装置は、セル内の無線端末の数が増えても、その共通チャネルの送信電力を上げる必要がないため、無線端末の数が多い場合には、電力の消費効率が良い。しかしながら、無線基地局装置は、そのセルの境界まで電波が届くようにチャネルの送信電力を上げる必要があるたため、無線端末の数が少ない場合には、電力の消費効率が悪くなる可能性がある。
【００１４】
したがって、ＰｔＰ送信方式およびＰｔＭ送信方式を適切に切り替えるチャネル切替制御方法が求められている。
【００１５】
非特許文献１では、無線基地局装置は、ＰｔＰ送信方式およびＰｔＭ送信方式の切り替えを、ＭＢＭＳにてデータを送信する無線端末の数が、予め設定された閾値を超えたか否かで行っている。具体的には、無線機基地局装置は、その無線端末の数がその閾値を超えると、ＰｔＭ方法でデータを送信し、その無線端末の数がその閾値を超えていないと、ＰｔＰ方法でデータを送信している。
【００１６】
しかしながら、無線端末の数がその閾値を超えていなくても、それらの無線端末の全てが、無線基地局装置のセルの境界付近にあると、ＰｔＰチャネルの送信電力の総和が、ＰｔＭチャネルでデータを送信したときの送信電力より大きくなる可能性がある。
【００１７】
特許文献１（特開２００４−２２１７０１号公報）では、無線基地局装置の送信電力に基づいて、ＰｔＰ送信方式およびＰｔＭ送信方式を切り替えるコンテンツ配信システムが記載されている。
【００１８】
このコンテンツ配信システムでは、ＰｔＰ送信方式でデータを送信するときの送信電力量（ＰｔＰ送信電力量）と、ＰｔＭ送信方式でデータを送信するときの送信電力量（ＰｔＭ送信電力量）とが比較される。また、ＰｔＰ送信電力量がＰｔＭ送信電力量より小さいと、ＰｔＰ送信方式でデータが送信され、一方、ＰｔＰ送信電力量がＰｔＭ送信電力量より大きいと、ＰｔＭ送信方式でデータが送信される。
【００１９】
これにより、無線端末装置の送信電力量の消費効率を向上させることが可能になる。
【非特許文献１】Ｍｕｌｔｉｍｅｄｉａ Ｂｒｏａｄｃａｓｔ/Ｍｕｌｔｉｃａｓｔ Ｓｅｒｖｉｃｅ"  ３ＧＰＰ ＴＳ２３．２４６  Ｒｅｌｅａｓｅ６
【特許文献１】特許２００４−２２１７０１号公報
【発明の開示】
【発明が解決しようとする課題】
【００２０】
特許文献１に記載のコンテンツ配信システムでは、無線端末用のチャネルの設定にかかる負荷については考慮されていない。
【００２１】
このため、例えば、無線基地局装置のセル内に、通常通信でデータが送信されている無線端末が多く、かつ、同報通信でデータが送信されている無線端末が通常通信を行う無線端末と比較して少ない場合、無線基地局装置では、同報通信にＰｔＰ送信方式が使用されると、同報通信にＰｔＭ送信方式が使用されるときに比べて、送信電力は軽減されるが、それらの無線端末用のチャネルの設定にかかる負荷が大きくなることがある。
【００２２】
本発明の目的は、無線基地局装置のチャネルの設定にかかる負荷を軽減することが可能な移動体通信システムおよびチャネル切替制御方法を提供することである。
【課題を解決するための手段】
【００２３】
上記の目的を達成するために、本発明の移動体通信システムは、同報通信を行う移動局装置および通常通信を行う移動局装置と接続する無線基地局装置と、前記無線基地局装置と接続された無線基地局制御装置および負荷監視装置と、を含む移動体通信システムであって、前記無線基地局装置は、前記通常通信を行う移動局装置用に通常チャネルを設定し、かつ、前記同報通信を行う移動局装置用に、第一の種別の同報チャネルと該第一の種別の同報チャネルとチャネル数が異なる第二の種別の同報チャネルとのいずれかを設定する符号化処理部と、前記負荷監視装置は、前記符号化処理部の処理負荷を監視し、該処理負荷に基づいて、前記同報チャネルの種別を切り替えるか否かを判定し、前記同報チャネルの種別を切り替えると判定すると、前記同報チャネルの種別を切り替える旨の切替要求を、前記無線基地局制御装置に送信する監視部を含み、前記無線基地局制御装置は、前記負荷監視装置から前記切替要求を受信すると、前記符号化処理部が設定している、前記同報チャネルの種別を切り替える処理部を含む。
【００２４】
また、本発明のチャネル切替制御方法は、同報通信を行う移動局装置および通常通信を行う移動局装置と接続する無線基地局装置と、前記無線基地局装置と接続された無線基地局制御装置および負荷監視装置と、を含む移動体通信システムが行うチャネル切替制御方法であって、前記無線基地局装置が、前記通常通信を行う移動局装置用に通常チャネルを設定し、かつ、前記同報通信を行う移動局装置用に、第一の種別の同報チャネルと該第一の種別の同報チャネルとチャネル数が異なる第二の種別の同報チャネルとのいずれかを設定する設定ステップと、前記負荷監視装置が、前記無線基地局装置の処理負荷を監視し、該処理負荷に基づいて、前記同報チャネルの種別を切り替えるか否かを判定する判定ステップと、前記負荷監視装置が、前記同報チャネルの種別を切り替えると判定されると、前記同報チャネルの種別を切り替える旨の切替要求を、前記無線基地局制御装置に送信する送信ステップと、前記無線基地局制御装置が、前記負荷監視装置から前記切替要求を受信する受信ステップと、前記無線基地局制御装置が、前記無線基地局装置が設定している、前記同報チャネルの種別を切り替える切替ステップと、を含む。
【００２５】
上記の発明によれば、無線基地局装置では、通常通信を行う移動局装置用に通常チャネルが設定される。また、同報通信を行う移動局装置用に第一の種別の同報チャネルとその第一の種別の同報チャネルとチャネル数が異なる第二の種別の同報チャネルとのいずれかが設定される。負荷監視装置では、無線基地局装置の処理負荷に基づいて、同報チャネルの種別を切り替えるか否かが判定される。無線基地局制御装置では、負荷監視装置にて同報チャネルの種別を切り替えると判定されると、無線基地局装置が設定している同報チャネルの種別を切り替える。
【００２６】
このため、無線基地局装置のチャネルの設定にかかる負荷を軽減することが可能になる。
【００２７】
また、前記監視部は、前記処理負荷の閾値を記憶する記憶部と、前記処理負荷が前記記憶部に記憶された閾値を超えたか否かを判定することで、前記同報チャネルの種別を切り替えるか否かを判定する判定部と、を含むことが望ましい。
【００２８】
上記の発明によれば、その処理負荷がその閾値を超えると、同報チャネルの種別が切り替えられると判定される。このため、処理負荷が大きくなると、その処理負荷を軽減することが可能になり、無線基地局装置のチャネルの設定にかかる負荷の軽減を効率的に行うことが可能になる。
【００２９】
また、前記同報通信は、ＭＢＭＳであることが望ましい。
【００３０】
また、前記第一の種別の同報チャネルは、前記同報通信を行う移動局装置のそれぞれに対応する固有の個別チャネルであり、前記第二の種別の同報チャネルは、前記同報通信を行う移動局装置に共通の共通チャネルであることが望ましい。
【発明の効果】
【００３１】
本発明によれば、無線基地局装置のチャネルの設定にかかる負荷を軽減することが可能になる。
【発明を実施するための最良の形態】
【００３２】
以下、本発明の実施例について図面を参照して説明する。
【００３３】
図１は、本発明の一実施例の移動体通信システムの構成を示したブロック図である。
【００３４】
図１において、通信システムは、無線端末１１ないし１３と、無線基地局装置１４と、負荷監視装置１５と、無線基地局制御装置１６と、コンテンツサーバ１７とを含む。
【００３５】
無線端末１１ないし１３は、無線基地局装置１４のセル内にあり、無線基地局装置１４と無線にて接続される。なお、無線端末の数は、図１では、３だけだが、実際には３に限定されない。また、無線基地局装置１４は、負荷監視装置１５と相互に接続される。
【００３６】
無線基地局制御装置１６は、無線基地局装置１４と相互に接続される。なお、無線基地局制御装置１６は、複数の無線基地局装置１４と相互に接続されても良い。また、無線基地局制御装置１６は、上位ネットワーク１８を介してコンテンツサーバ１７と相互に接続される。
【００３７】
無線端末１１ないし１３は、移動局装置の一例である。
【００３８】
無線端末１１ないし１３は、無線基地局装置１４から、同報通信にてデータを受信することも可能であり、通常通信にてデータを受信することも可能である。以下では、無線端末１１および１２が同報通信を行うものとし、無線端末１３が通常通信を行うものとする。
【００３９】
同報通信は、例えば、ＭＢＭＳであり、複数の無線端末に対して同じデータを送信する通信である。なお、同報通信は、ＭＢＭＳに限らず適宜変更可能である。以下では、同報通信をＭＢＭＳとする。
【００４０】
同報通信によるデータの送信には、ＰｔＰ送信方式およびＰｔＭ送信方式がある。ＰｔＭ送信方式では、複数の無線端末のそれぞれに対応する固有のチャネルを設定しなくても良いため、ＰｔＰ送信方式よりそのチャネル数が少なくなり、チャネルの設定にかかる負荷が軽減される。
【００４１】
通常通信は、例えば、回線交換（ＣＳ：Ｃｉｒｃｕｉｔ Ｓｗｉｔｃｈ）による電話通信およびパケット交換（ＰＳ：Ｐａｃｋｅｔ Ｓｗｉｔｃｈ）による電子メール通信などであり、同報通信と異なる、複数の無線端末のそれぞれに固有のデータを送受信する通信である。
【００４２】
無線端末１１および１２は、新たに開始される同報通信によるデータの配信を受ける場合、無線基地局装置１４から、同報通信を開始する旨の開始情報を受け付けると、その開始情報に対する応答信号（以下、開始応答信号と呼ぶ）を無線基地局装置１４に送信する。また、無線端末１１ないし１３は、既に開始されている同報通信によるデータの配信を受ける場合、そのデータの配信を受ける旨を無線基地局装置１４に通知する。
【００４３】
以下では、同報通信にて配信されるデータをＭＢＭＳデータと呼ぶ。
【００４４】
無線基地局装置１４は、同報通信を行う無線端末１１および１２用に同報チャネルを設定し、通常通信を行う無線端末１３用に通常チャネルを設定する。
【００４５】
同報チャネルの種別には、個別チャネルと共通チャネルがある。個別チャネルは、ＰｔＰ送信方式用の無線チャネルであり、無線端末１１および１２のそれぞれに対応する固有の無線チャネルである。また、共通チャネルは、ＰｔＭ送信方式用の無線チャネルであり、同報通信を行う無線端末１１および１２に共通の無線チャネルである。
【００４６】
図２は、無線基地局装置１４の構成を示したブロック図である。
【００４７】
図２において、無線基地局装置１４は、受信無線部１０１と、復号化処理部１０２と、制御部１０３と、送信部１０４と、受信部１０５と、符号化処理部１０６と、無線送信部１０７と、負荷接続部１０８とを含む。
【００４８】
受信無線部１０１は、無線端末１１ないし１３から開始応答信号と、通常呼に対する応答信号（以下、呼応答信号と呼ぶ）と、を受信する。
【００４９】
通常呼は、通常通信のための呼であり、例えば、回線交換のためのＣＳ呼またはパケット交換のためのＰＳ呼などである。
【００５０】
復号化処理部１０２は、受信無線部１０１が受信した開始応答信号および呼応答信号を復号化する。
【００５１】
制御部１０３は、負荷接続部１０８が切替要求を受け付けると、その切替要求を無線基地局制御装置１６に送信する。切替要求は、同報チャネルの種別を切り替える旨の情報である。
【００５２】
受信部１０５は、無線基地局制御装置１６から、開始情報と、ＭＢＭＳデータと、終了情報と、制御信号と、通常呼と、通常データとを受信する。
【００５３】
終了情報は、ＭＢＭＳデータの提供を終了する旨の情報である。通常データは、通常通信にて送信されるデータである。制御信号は、同報チャネルの種別を切り替える旨の信号である。
【００５４】
符号化処理部１０６は、通常通信を行う無線端末１３用に通常チャネルを設定する。また、符号化処理部１０６は、同報通信を行う無線端末１１および１２用に、個別チャネルと共通チャネルとのいずれかを設定する。
【００５５】
具体的には、符号化処理部１０６は、受信部１０５が開始情報を受信すると、その開始情報を、送信無線部１０７を介して無線端末１１ないし１３に送信する。その後、符号化処理部１０６は、制御信号から開始応答信号を受け付けると、その開始応答信号を送信した無線端末を、同報通信を行う無線端末と判断して、その無線端末のそれぞれに対応する固有の拡散符号を割り当てることにより、その無線端末用の個別チャネルを設定する。
【００５６】
その後、符号化処理部１０６は、受信部１０５が切替要求を受信すると、同報通信を行っている無線端末１１および１２に共通の拡散符号を割り当てることにより、無線端末１１および１２用に共通チャネルを設定する。
【００５７】
また、符号化処理部１０６は、受信部１０５が開始情報を受信すると、その開始情報を負荷監視装置に送信する。
【００５８】
また、符号化処理部１０６は、受信部１０５がＭＢＭＳデータを受信すると、そのＭＢＭＳデータを、無線端末１１および１２に設定した同報チャネルで無線端末１１および１２に送信する。
【００５９】
例えば、符号化処理部１０６は、そのＭＢＭＳデータを所定の変調方式で変調し、その変調されたＭＢＭＳデータにその割り当てられた拡散符号を乗じ、その拡散符号を乗じたＭＢＭＳデータを送信周波数帯域に変換し、その変換したＭＢＭＳデータを、送信無線部１０７を介して無線端末１１および１２に送信する。
【００６０】
なお、無線受信部１０１が無線基地局装置１４のセル内の無線端末がＭＢＭＳデータの受信を要求すると、または、そのセル内にその要求を既にしている無線端末が入ってくると、符号化処理部１０６は、その無線端末に、無線端末１１および１２用に設定している同報チャネルの種別と同じ種別の同報チャネルを設定する。
【００６１】
また、符号化処理部１０６は、受信部１０５が終了情報を受信すると、設定した同報チャネルを解除し、その終了情報を負荷監視装置１５に出力する。
【００６２】
また、符号化処理部１０６は、受信部１０５が通常呼を受信すると、その通常呼の呼び出し先となる、通常通信を行う無線端末（以下、無線端末１３とする）にその通常呼を送信する。符号化処理部１０６は、受信無線部１０１がその通常呼に対する呼応答信号を受け付けると、無線端末に通常チャネルを設定する。その後、符号化処理部１０６は、受信部１０５が通常データを受信すると、その通常チャネルでその通常データを無線端末１３に送信する。なお、通常呼および通常データの送信に関しては、当業者にとって自明なため詳細な説明および動作は省略する。
【００６３】
負荷接続部１０８は、負荷監視装置１５から切替要求を受け付ける。
【００６４】
負荷監視装置１５は、無線基地局装置１４の処理負荷を監視する。なお、負荷監視装置１５は、独立した筐体を有しても良いし、無線基地局装置１４と同じ筐体の中に組み込まれても良い。
【００６５】
図３は、負荷監視装置１５の構成の一例を示したブロック図である。
【００６６】
図３において、負荷監視装置１５は、接続部１１１と、監視部１１２とを含む。
【００６７】
接続部１１１は、負荷監視装置１５（具体的には、負荷接続部１０８）と接続される。
【００６８】
監視部１１２は、無線基地局装置１４（具体的には、符号化処理部１０６）の処理負荷を監視し、その処理負荷に基づいて、同報チャネルを切り替えるか否かを判定する。監視部１１２は、同報チャネルを切り替えると判定すると、切替要求を無線基地局装置に送信する。
【００６９】
監視部１１２は、記憶部１１２ａと、判定部１１２ｂとを含む。
【００７０】
記憶部１１２ａは、符号化処理部１０６の処理負荷の閾値を記憶する。
【００７１】
判定部１１２ｂは、無線基地局装置１４（具体的には、符号化処理部１０６）の処理負荷を監視し、その処理負荷が記憶部１１２ａに記憶された閾値を超えたか否かを判定することで、同報チャネルを切り替えるか否かを判定する。
【００７２】
なお、その処理負荷は、符号化処理を行うＤＳＰの処理負荷でも良いし、そのＤＳＰの処理負荷に加え、符号化処理を行うためのメモリの使用量、符号化処理部１０６を構成する回路の通信速度などを合わせたものでも良い。
【００７３】
判定部１１２ｂは、同報チャネルを切り替えると判定すると、切替要求を、無線基地局装置１４を介して無線基地局制御装置１６に送信する。
【００７４】
無線基地局制御装置１６は、無線基地局装置１４を制御する。
【００７５】
図４は、無線基地局制御装置１６の構成を示したブロック図である。
【００７６】
図４において、無線基地局制御装置１６は、下位接続部１２１と、上位接続部１２２と、処理部１２３とを含む。
【００７７】
上位接続部１２２は、コンテンツサーバ１７から、開始情報と、ＭＢＭＳデータと、終了情報とを受信する。また、上位接続部１２２は、各種通信装置（図示せず）から、通常呼と、通常データとを受信する。各種通信装置として、例えば、メールサーバなどがある。
【００７８】
下位接続部１２１は、無線基地局装置１４から切替要求を受信する。
【００７９】
処理部１２３は、上位接続部１２２が開始情報、ＭＢＭＳデータ、終了情報、通常呼または通常データを受信すると、その開始情報、ＭＢＭＳデータ、終了情報、通常呼または通常データを無線基地局装置１４に送信する。
【００８０】
また、処理部１２３は、下位接続部１２１が切替要求を受信すると、無線基地局装置１４の符号化処理部１０６が設定している同報チャネルの種別を切り替える。具体的には、処理部１２３は、符号化処理部１０６に、同報チャネルを切り替える旨の制御信号を送信することで、符号化処理部１０６が設定している個別チャネルを共通チャネルに切り替える。
【００８１】
コンテンツサーバ１７は、開始情報を無線基地局制御装置１６に送信し、その後所定の時間が経過すると、ＭＢＭＳデータを無線基地局制御装置１６に送信する。また、コンテンツサーバ１７は、ＭＢＭＳデータの送信が終了すると、終了情報を無線端末制御装置１６に送信する。
【００８２】
次に動作を説明する。
【００８３】
図５は、負荷監視装置１５の動作の一例を説明するためのフローチャートである。
【００８４】
接続部１１１は、無線基地局装置１４から開始情報を受け付けると、ステップＳ１０を実行する。
【００８５】
ステップＳ１０では、接続部１１１は、その開始情報を判定部１１２ｂに出力する。判定部１１２ｂは、その開始情報を受け付けると、ステップＳ１１を実行する。
【００８６】
ステップＳ１１では、判定部１１２ｂは、接続部１１１および負荷接続部１０８を介して、無線基地局装置１４の符号化処理部１０６の処理負荷を監視し、その処理負荷を示す処理負荷情報を取得する。判定部１１２ｂは、処理負荷情報を取得すると、ステップＳ１２を実行する。
【００８７】
ステップＳ１２では、判定部１１２ｂは、符号化処理部１０６が無線端末１１および１２用に設定した同報チャネルの種別が個別チャネルか否かを判定することで、符号化処理部１０６がＰｔＰ送信方式でＭＢＭＳデータを送信しているか否かを判定する。
【００８８】
判定部１１２ｂは、符号化処理部１０６がＰｔＰ送信方式でＭＢＭＳデータを送信していると、ステップＳ１３を実行し、符号化処理部１０６がＰｔＭ送信方式でＭＢＭＳデータを送信していないと、ステップＳ１５を実行する。
【００８９】
ステップＳ１３では、判定部１１２ｂは、記憶部１１２ａに記憶された閾値を確認し、その負荷情報が示す処理負荷がその閾値を超えたか否かを判定することで、同報チャネルを切り替えるか否かを判定する。
【００９０】
判定部１１２ｂは、その処理負荷がその閾値を超えていると、ステップＳ１４を実行し、その処理負荷がその閾値を超えていないと、ステップＳ１５を実行する。
【００９１】
ステップＳ１４では、判定部１１２ｂは、切替要求を、接続部１１１を介して基地局無線装置１４の負荷接続部１０８に出力する。判定部１１２ｂは、切替要求を出力すると、ステップＳ１５を実行する。
【００９２】
ステップＳ１５では、判定部１１２ｂは、無線基地局装置１４による同報通信が継続中か否かを判定する。
【００９３】
具体的には、判定部１１２ｂは、接続部１１１から終了情報を受け付けたか否かを確認し、その終了情報を受け付けると、無線基地局装置１４による同報通信が継続中でないと判定し、その終了情報を受け付けていないと、無線基地局装置１４による同報通信が継続中であると判定する。なお、接続部１１１は、符号化処理部１０６から終了情報を受け付けると、その終了情報を判定部１１２ｂに出力する。
【００９４】
判定部１１２ｂは、無線基地局装置１４による同報通信が継続中であると、ステップＳ１１を実行し、無線基地局装置１４による同報通信が継続中でないとステップＳ１６を実行する。
【００９５】
ステップＳ１６では、判定部１１２ｂは、待機状態になる。
【００９６】
図６は、通信システムの動作を説明するためのシーケンスチャートである。なお、図６において、図５と同じ処理には同じ符号が付してある。また、同報通信行う無線端末１１および１２の中で無線端末１１が示されている。
【００９７】
ステップＳ２０では、同報通信の開始処理が実行される。
【００９８】
具体的には、コンテンツサーバ１７は、開始情報を、上位ネットワーク１８を介して無線基地局制御装置１６の上位接続部１２２に送信する。上位接続部１２２は、その開始情報を受信すると、その開始情報を処理部１２３に出力する。処理部１２３は、その開始情報を受け付けると、その開始情報を、下位接続部１２１を介して無線基地局装置１４の受信部１０５に送信する。
【００９９】
受信部１０５は、その開始情報を受信すると、その開始情報を符号化処理部１０６に出力する。符号化処理部１０６は、開始情報を受け付けると、その開始情報を、負荷接続部１０８を介して負荷監視装置１５の接続部１１１に出力し、かつ、その開始情報を、送信無線部１０７を介して無線端末１１ないし１３に送信する。
【０１００】
無線端末１１ないし１３は、同報通信によるデータの配信を受ける場合、その開始情報に対する開始応答信号を無線基地局装置１４の受信無線部１０１に送信する。
【０１０１】
受信無線部１０１は、その開始応答信号を受信すると、その開始応答信号を復号化処理部１０２に出力する。復号化処理部１０２は、その開始応答信号を受け付けると、その応答情報を復号化し、その復号化した開始応答信号を制御部１０３に出力する。制御部１０３は、その開始応答信号を受け付けると、その開始応答信号を符号化処理部１０６に出力する。
【０１０２】
符号化処理部１０６は、開始情報を無線端末１１ないし１３に送信した後で、特定の時間が経過すると、その特定の時間内に符号化処理部１０６から受け付けた開始応答信号を出力した無線端末（無線端末１１および１２）用に個別チャネルを設定する。これにより、開始処理が終了される。
【０１０３】
コンテンツサーバ１７は、開始情報を送信した後で所定の時間が経過すると、ステップＳ２１を実行する。
【０１０４】
ステップＳ２１では、コンテンツサーバ１７は、ＭＢＭＳデータを、上位ネットワーク１８を介して無線基地局制御装置１６の上位接続部１２２に送信する。上位接続部１２２は、ＭＢＭＳデータを受信すると、ステップＳ２２を実行する。
【０１０５】
ステップＳ２２では、上位接続部１２２は、そのＭＢＭＳデータを処理部１２３に出力する。処理部１２３は、ＭＢＭＳデータを受け付けると、そのＭＢＭＳデータを無線基地局装置１４の受信部１０５に、下位接続部１２１を介して送信する。受信部１０５は、ＭＢＭＳデータを受信すると、ステップＳ２３を実行する。
【０１０６】
ステップＳ２３では、受信部１０５は、そのＭＢＭＳデータを符号化処理部１０６に出力する。符号化処理部１０６は、そのＭＢＭＳデータを受け付けると、そのＭＢＭＳデータを、無線端末１１および１２用に設定した個別チャネルで、無線端末１１および１２に送信無線部１０７を介して送信する。無線端末１１および１２は、そのＭＢＭＳデータを受信する。
【０１０７】
その後、ステップＳ２１ないしＳ２３が繰り返され、その間に、ステップＳ１４で、負荷監視装置１５の管理部１１３ｂが、切替要求を、接続部１１１を介して基地局無線装置１４の負荷接続部１０８に出力したとする。この場合、負荷接続部１０８は、その切替要求を受け付けると、ステップＳ２４を実行する。
【０１０８】
ステップＳ２４では、負荷接続部１０８は、その切替要求を制御部１０３に出力する。制御部１０３は、その切替要求を受け付けると、その切替要求を、送信部１０４を介して無線基地局制御装置１６の下位接続部１２１に送信する。下位接続部１２１は、その切替要求を受信すると、ステップＳ２５を実行する。
【０１０９】
ステップＳ２５では、下位接続部１２１は、その切替要求を処理部１２３に出力する。処理部１２３は、その切替要求を受け付けると、制御信号を作成し、その制御信号を、下位接続部１２１を介して無線基地局装置１４の受信部１０５に送信する。受信部１０５は、その制御信号を受信すると、その制御信号を符号化処理部１０６に出力する。
【０１１０】
符号化処理部１０６は、その制御信号を受け付けると、無線端末１１および１２用に共通チャネルを設定する。
【０１１１】
その後、ステップＳ２６およびＳ２７が実行される。なお、ステップＳ２６およびＳ２７にて行われる処理は、ステップＳ２１およびＳ２２にて行われる処理と同じであるため、説明を省略する。
【０１１２】
ステップＳ２７で受信部１０５は、ＭＢＭＳデータを受信すると、ステップＳ２８を実行する。
【０１１３】
ステップＳ２８では、受信部１０５は、そのＭＢＭＳデータを符号化処理部１０６に出力する。符号化処理部１０６は、そのＭＢＭＳデータを受け付けると、そのＭＢＭＳデータを、無線端末１１および１２用に設定した共通チャネルで、無線端末１１および１２に送信無線部１０７を介して送信する。無線端末１１および１２は、そのＭＢＭＳデータを受信する。
【０１１４】
次に、符号化処理部１０６の処理負荷の変化について説明する。
【０１１５】
図７は、負荷監視装置１５による符号化処理部１０６の処理負荷の監視が行われなかった場合の、符号化処理部１０６の処理負荷を説明するためのタイムチャートである。
【０１１６】
図７において、縦軸は、処理負荷の大きさを示し、横軸は、時間を示す。また、ＰｔＰは、ＰｔＰ送信方式のための個別チャネルの設定にかかる処理負荷を示す。ＣＳは、ＣＳ呼による通常チャネルの設定にかかる処理負荷を示す。ＰＳは、ＰＳ呼による通常チャネルの設定にかかる処理負荷を示す。
【０１１７】
図８は、負荷監視装置１５による符号化処理部１０６の処理負荷の監視を行った場合の、符号化処理部１０６の処理負荷を説明するためのタイムチャートである。なお、図８において、図７と同じ処理負荷を示すものには、同じ記号が付されている。
【０１１８】
図８において、ＰｔＭは、ＰｔＭ送信方式による共通チャネルの設定にかかる処理負荷を示す。
【０１１９】
図８において、時刻Ｔ２で符号化処理部１０６の処理負荷が閾値を超え、ＭＢＭＳデータの送信方式がＰｔＰ送信方式からＰｔＭ送信方式に切り替えられたとする。
【０１２０】
ＰｔＭ送信方式に切り替えられた後（時刻Ｔ３以降）では、同報チャネルの設定にかかる符号化処理部１０６の処理負荷が一定となるため、図７に示した場合に比べて、ＰｔＰ送信方式による符号化処理部１０６のチャネルを設定にかかる負荷は軽減される。図８では、その軽減された処理負荷の量（処理負荷軽減量）は、網目のマスで示されている。
【０１２１】
本実施例によれば、符号化処理部１０６は、通常通信を行う無線端末１３用に通常チャネルを設定する。また、符号化処理部１０６は、同報通信を行う無線端末１１および１２用に個別チャネルと共通チャネルとのいずれかを設定する。監視部１１２は、符号化処理部１０６の処理負荷を監視し、その処理負荷に基づいて、同報チャネルの種別を切り替えるか否かを判定する。監視部１１２は、同報チャネルの種別を切り替えると判定すると、切替要求を無線基地局制御装置１６に送信する。下位接続部１２１がその切替要求を受信すると、処理部１２３は、符号化処理部１０６が設定している、同報チャネルの種別を切り替える。
【０１２２】
この場合、チャネルの設定にかかる負荷を軽減することが可能になる。
【０１２３】
また、判定部１１２ｂは、符号化処理部１０６の処理負荷が記憶部１１２ａに記憶された閾値を超えたか否かを判定することで、同報チャネルの種別を切り替えるか否かを判定する。
【０１２４】
このため、処理負荷が大きくなると、その処理負荷を軽減することが可能になり、チャネルの設定にかかる負荷の軽減を効率的に行うことが可能になる。
【０１２５】
以上説明した実施例において、図示した構成は単なる一例であって、本発明はその構成に限定されるものではない。
【０１２６】
例えば、無線基地局制御装置１６は、切替要求を受信したときだけでなく、同報通信を行う無線端末の数が予め定められた基準数を超えた場合にも、切替要求を無線基地局装置１４に送信しても良い。
【０１２７】
また、負荷監視装置１５および無線基地局制御装置１６が接続され、管理部１１３ｂは、切替要求を、無線基地局装置１４を介さずに、無線基地局制御装置１６に送信しても良い。
【図面の簡単な説明】
【０１２８】
【図１】本発明の一実施例の移動体通信システムの構成を示したブロック図である。
【図２】無線基地局装置の構成の一例を示したブロック図である。
【図３】負荷監視装置の構成の一例を示したブロック図である。
【図４】無線基地局制御装置の構成の一例を示したブロック図である。
【図５】負荷監視装置の動作の一例を説明するためのフローチャートである。
【図６】移動体通信システムの動作の一例を説明するためのシーケンスチャートである。
【図７】処理負荷の軽減量を説明するためのタイムチャートである。
【図８】処理負荷の軽減量を説明するためのタイムチャートである。
【図９ａ】ＰｔＰ送信方式を説明するための説明図である。
【図９ｂ】ＰｔＭ送信方式を説明するための説明図である。
【符号の説明】
【０１２９】
１１      無線端末
１２      無線端末
１３      無線端末
１４      無線基地局装置
１５      負荷監視装置
１６      無線基地局制御装置
１７      コンテンツサーバ
１０１    受信無線部
１０２    復号化処理部
１０３    制御部
１０４    送信部
１０５    受信部
１０６    符号化処理部
１０７    送信無線部
１０８    負荷接続部
１１１    接続部
１１２    監視部
１１２ａ  記憶部
１１３ｂ  判定部
１２１    下位接続部
１２２    上位接続部
１２３    処理部
【図１】
2007325103.tif 000003
【図２】
2007325103.tif 000004
【図３】
2007325103.tif 000005
【図４】
2007325103.tif 000006
【図５】
2007325103.tif 000007
【図６】
2007325103.tif 000008
【図７】
2007325103.tif 000009
【図８】
2007325103.tif 000010
【図９ａ】
2007325103.tif 000011
【図９ｂ】
2007325103.tif 000012